(57)【要約】【課題】鑑賞魚を飼育しなくても水槽に豪華さを与えることができ、特別の手間を要することなく水草の成長を楽しむことができる水中装飾品を提供する。【解決手段】充填材２を保有した状態で略球体または略直方体の形状となる通水性の収納部１０と、収納部１０に差し込まれて保持される水草３と、を有して構成され、水草３と充填材２とが、収納部１０に保持された状態で、水槽内に配置される。【選択図】図２
0003161867.tif 000002
【実用新案登録請求の範囲】
【請求項１】
充填材を保有した状態で略球体または略直方体の形状となる通水性の収納部と、前記収納部に差し込まれて保持される水草と、を有して構成され、
水草と充填材とが、収納部に保持された状態で、水槽内に配置されるよう構成された水中装飾品。
【請求項２】
前記収納部は、充填材を通過させない網目を有して、固定的な形状に形成された金属又は合成樹脂で構成されている請求項１に記載の水中装飾品。
【請求項３】
前記収納部は、充填材を通過させない網目を有して、非固定的な形状に形成された繊維材で構成されている請求項１に記載の水中装飾品。
【請求項４】
繊維材を使用して袋状又は筒状に形成された収納部の底部に、収納部の外側から差し込まれる水草と、
外側から差し込まれた水草の差込片を、繊維材を介在させて弾性的に縛る第一紐材と、
第一紐材で縛られた収納部を表裏反転して形成される空間に、水草の差込片を覆う程度まで収容される充填材と、
水草の差込片と充填材とを収容した収納部について、繊維材を介在させて水草を弾性的に縛る第二紐材と、
を有して構成される請求項３に記載の水中装飾品。
【請求項５】
水槽内に配置された状態では、収納部の開口部が第三紐材によって閉塞されている請求項４に記載の水中装飾品。
【請求項６】
前記繊維材の網目は、水草からの発根が通過可能に構成されている請求項３〜５の何れかに記載の水中装飾品。
【請求項７】
前記収納部は、軸方向の両側に開口を設けた筒状の素材について、先端側を縛って閉塞させることで袋状に形成される請求項３〜６の何れかに記載の水中装飾品。
【請求項８】
前記収納部は、軸方向一方だけに開口を設けた有底筒状に形成された素材で構成されている請求項３〜６の何れかに記載の水中装飾品。
【請求項９】
前記収納部は、網目状に編まれたストッキング状の繊維材で構成されている請求項７又は８に記載の水中装飾品。
【請求項１０】
水槽内には気泡が連続供給されることで液流が形成されている請求項１〜９の何れかに記載の水中装飾品。
【考案の詳細な説明】
【技術分野】
【０００１】
本考案は、水槽に豪華さを与えることができ、観賞魚を飼育しても水槽の掃除が容易化される水中装飾品に関するものである。
【背景技術】
【０００２】
熱帯魚などを鑑賞するための水槽は、通常、底砂を敷いた状態で水草を定着させている。そして、定期的に餌を与えると共に、酸素を含んだ気泡を連続供給することで魚の活性化を図っている。
【先行技術文献】
【特許文献】
【０００３】
【特許文献１】特開２０１０−９４１１５号公報
【特許文献２】特開２００７−８５３０３号公報
【特許文献３】特開平１１−９８９３３号公報
【特許文献４】特開平０７−１１５８７１号公報
【考案の概要】
【考案が解決しようとする課題】
【０００４】
しかし、観賞魚を飼育すると、魚の糞や食べ残しの餌は、少なからず水槽に沈殿するのが実情である。ここで、水草を活用して、完全な食物連鎖を達成できれば良いが、実際には、沈殿物が腐敗して悪臭を放つこともあり、定期的な掃除が必要となる。
【０００５】
水槽の掃除には、鑑賞魚を適当な場所に隔離した上で、水槽と底砂とを洗浄する必要があり、これらの作業が非常に煩雑である。しかも、魚の生命力が弱い場合には、水質の変化など、環境の変化に魚が耐え切れないおそれもある。
【０００６】
本考案は、上記の問題点に鑑みてなされたものであって、鑑賞魚に与えるストレスを最小限に抑制して、水槽を簡単に掃除できる水中装飾品を提供することを目的とする。また、鑑賞魚を飼育しなくても水槽に豪華さを与えることができ、特別の手間を要することなく水草の成長を楽しむことができる水中装飾品を提供することを目的とする。
【課題を解決するための手段】
【０００７】
上記の目的を達成するため、本考案に係る水中装飾品は、充填材を保有した状態で略球体または略直方体の形状となる通水性の収納部と、前記収納部に差し込まれて保持される水草とを有して構成され、水草と充填材とが、収納部に保持された状態で、水槽内に配置される。
【０００８】
本考案では、水草と充填材とが一体化された状態で水槽に配置されるので、これらを一体的に水槽から取り出すことができ、一体化された状態で充填材を水洗いすることで清掃が完了する。また、水槽内に魚を飼育する場合には、気泡を連続供給するのが通例であるが、このような場合には、収納部内で密集する充填材がフィルタとして機能し、魚の飼育に伴う糞や餌が自動的に捕捉され、充填材の清掃に伴い一気に除去される。
【０００９】
すなわち、連続供給される気泡によって、水槽内には還流が生じるので、この還流に乗ったゴミが充填材にトラップされることで、水槽そのものの汚れを効果的に抑制することができ、トラップされたゴミは、充填材の掃除と共に自動的に廃棄される。
【００１０】
前記収納部は、充填材を通過させない網目を有して、固定的な形状に形成された金属又は合成樹脂で構成されるか、或いは、充填材を通過させない網目を有して、非固定的な形状に形成された繊維材で構成されるのが典型的である。後者の場合には、例えば、ストッキングなどを活用して、収納部を自作することもでき、自作した収納部に充填材を詰めることで、水草と充填材とを一体化させた水中装飾品として水槽を装飾することができる。
【００１１】
水中装飾品の製作手順は、特に限定されないが、例えば、(1)繊維材を使用して袋状又は筒状に形成された収納部の底部に、収納部の外側から水草を差し込み、(2)外側から差し込まれた水草の差込片を、繊維材を介在させて、第一紐材で弾性的に縛り、(3)第一紐材で縛られた収納部を表裏反転させて形成される空間に、水草の差込片を覆う程度まで充填材を収容し、(4)水草の差込片と充填材とを収容した収納部を、繊維材を介在させて第二紐材で水草を弾性的に縛れば、請求項４に記載の考案のように、水草と充填材とを収納部によって一体化させることができる。
【００１２】
収納部を袋状に形成する場合には、これを構成する繊維材は、水草からの発根が通過可能な網目（メッシュ）形状であるのが好ましい。なお、繊維材の網目が細く、水草からの発根が通過困難な場合には、水草の差込片の収納空間を十分に大きく確保しておく必要がある。
【００１３】
一方、収納部を筒状に形成する場合には、これを構成する繊維材は、水草からの発根が通過困難な網目（メッシュ）形状であるのが好ましい。なお、袋状に形成するか、筒状に形成するかに拘らず、収納部の開口部は、第三紐材によって閉塞されるのが好ましい。
【００１４】
なお、袋状の収納部は、典型的には、軸方向一方だけに開口を設けた有底筒状に形成される。但し、軸方向の両側に開口を設けた無底筒状に形成された素材について、先端側に余裕を設けて結び目を設けることで、袋状の収納部を構成することもできる。
【考案の効果】
【００１５】
上記した本考案によれば、鑑賞魚にそれほどのストレスを与えることなく水槽を清潔な状態に維持でき、水槽の掃除も簡易化される。また、鑑賞魚を飼育しなくても水槽に豪華さを与えることができ、特別の手間を要することなく水草の成長を楽しむことができる。
【図面の簡単な説明】
【００１６】
【図１】第一実施例の水中装飾品を説明する図面である。
【図２】第二実施例の水中装飾品を説明する図面である。
【図３】各種の水中装飾品を示す写真である。
【図４】水槽に配意した水中装飾品を示す写真である。
【図５】洗浄時の水中装飾品と、その発根の定着状態を示す写真である。
【考案を実施するための形態】
【００１７】
以下、実施例に基づいて本考案を詳細に説明する。図１は、収納部１に充填材２と水草３が保持される第一実施例を示している。充填材２は、特に限定されないが、水槽用の砂や魚用のソイル（ろ材）が好適に使用される。また、発根状態の水草３を使用しても良いが、典型的には、発根前の水草３の茎が充填材２に挿し込まれる。
【００１８】
図示の収納部１は、六面体をライン状に形成するフレーム材ＦＲと、隣接するフレーム材ＦＲ、ＦＲを接続するネット材ＮＴとで構成されている。そして、収納部１を形成する六面体は、ネット材ＮＴの五面で構成される収容箱４と、ネット材ＮＴの一面で構成される開閉扉５とに区分されている。
【００１９】
収納部１の素材は、特に限定されないが、ライン状に形成された金属製又は合成樹脂製のフレーム材ＦＲと、網状に形成された金属製又は合成樹脂製のネット材ＮＴとが好適に使用される。また、ネット材ＮＴは、典型的には、１０×１０ｃｍ程度の大きさに形成され、収納部１全体で１０００ｃｍ３程度の容積となる。なお、ネット材ＮＴの網目が、充填材２を通過させないのは勿論である。
【００２０】
開閉扉５の一端部５ａには、ヒンジ機構６が設けられ、開閉扉５と収容箱４とがヒンジ結合されている。また、開閉扉５の他端部５ｂには、簡易なロック機構７が設けられることで、開閉扉５が収容箱４に固定可能となっている。なお、ヒンジ機構６及びロック機構７とも、図１には、詳細な形状を示していないが、周知構造の部品が使用される。
【００２１】
図１に示す収納部１を使用して水中装飾品を完成させるには、先ず、開閉扉５を開放した状態で、収納部１全体に充填材２を充填すると共に、この充填作業の途中で、水草３をネット材ＮＴ越しに充填材２に挿し込む。そして、最後にロック機構７を機能させて開閉扉５を閉鎖する。この完成状態で、水草３を保持する収納部１は、ほぼ立方体となるので、図１（ｄ）のように、水槽８に規則的に配置すると、水槽８の底面全体を覆うことができる。
【００２２】
その後、水槽内で水草２が発根しても、収納部１の容積が十分に大きいので、大部分の発根が収納部１に収容されることになり、水槽８の清掃時には、個々の収納部１ごとに水槽８から取り出すことができる。なお、ネット材ＮＴの網目を細く形成することで、発根がネット材ＮＴからはみ出さないよう構成しても良い。
【００２３】
また、鑑賞魚を飼育しない場合には、隣接する収納部１の間に水草を配置しても良く、この場合には、水槽８がより豪華になる。
【００２４】
一方、水槽内に鑑賞魚を飼育しても良く、この場合には、気泡の連続供給などによって液流を生じさせるだけで、糞や食べ残しの餌を収納部１に捕捉することができる。そのため、水槽８から取り出した収納部１を水洗いするだけで、水槽８の掃除を終えることができる。
【００２５】
図２は、収納部１０に充填材２と水草３が保持される第二実施例を示している。この実施例では、ストッキング状の繊維素材（以下、ストッキング素材と略す）による収納部１０が使用される。ストッキング素材としては、例えば、１２０°迄の耐熱性と、−３０°迄の耐冷性とを有する非水溶性の素材が使用され、具体的には、ポリエステル素材やポリウレタン素材が好適に選択される。また、このストッキング素材には、水草３からの発根を通過させるが、充填材２は通過させない程度の網目が設けられている。
【００２６】
ストッキング素材による収納部１０は、閉塞された底部１０ａと、開放された頂部１０ｂとを有して、全体として、袋状に形成されている。そして、頂部１０ｂには、緩いゴム材で構成された弾性紐１１が、ストッキング素材に固着状態で配置されている。
【００２７】
水中装飾品を完成させるには、先ず、収納部１０の底部１０ａの外側から、水草３の茎（差込片）を差し込み、水草３の差込片を、第一紐１２で軽く縛る（図２（ｂ）参照）。なお、第一紐１２は適度な弾性を有しており、図示の通り、必要に応じて複数個が使用される。
【００２８】
その後、ストッキング素材を表裏反転させて、水草３の周りに収納空間を形成して（図２（ｂ）、図２（ｃ）参照）、この収納空間の中に充填材２を詰める（図２（ｄ）参照）。充填量は、特に限定されないが、水草３の差込片が隠れる程度であるのが好ましい。なお、収納部１０の底部１０ａが閉塞されているので、大量の充填材２を詰めても、その重さによって充填材２が漏れ出るようなことはない。
【００２９】
充填作業が終われば、水草３の差込片の付近を、弾力性を有する第二紐１３で軽く縛る（図２（ｅ）参照）。そして、最後に、ストッキング素材を、再度、表裏反転させ、頂部１０ｂに配置されている弾性紐１１を利用して頂部１０ｂを閉塞させる（図２（ｆ）〜図２（ｈ））。
【００３０】
以上の操作によって、水草がストッキング素材に保持されるので、適宜なデコレーションを施すことによって、手作りの水中装飾品を完成させることができる（図２（ｉ））。図３は、各種の水中装飾品を示す写真、図４は、水槽に配意した水中装飾品を示す写真である。何れの水中装飾品も、水草の成長に応じて、葉が茂ると共に根が張るが、永続的に一体状態を維持する。
【００３１】
そのため、水槽内で鑑賞魚を飼育する場合でも、気泡などによって液流を生じさせるだけで、糞や食べ残しの餌を収納部１０に捕捉することができ、水槽８から取り出した水中装飾品の収納部１０を水洗いするだけで、水槽８の掃除を終えることができる。図５は、洗浄時の水中装飾品と発根の定着状態を示す写真である。なお、鑑賞魚を飼育しない場合には、水槽の掃除が殆ど不要となり、適度に水を補充するだけで水中装飾品の成長を楽しむことができる。
【００３２】
なお、ストッキング素材の網目は、水草からの発根が通過可能な大きさを有するが、収納部１０に十分な量の充填材を充填しておけば、発根が収納部１０からはみ出すことはない。
【００３３】
以上、本考案の実施例について詳細に説明したが、具体的な記載内容は特に本考案を限定するものではない。例えば、第二実施例では、袋状の収納部１０を使用したが、必ずしも、このような構成に限定されない。例えば、図２（ａ）’に示すように、軸方向の両側１０ａ，１０ｂに開口を設けた略円筒状の素材について、先端側１０ａに近接して結び目１０ｃを設けて袋状に形成しても良い。この場合、結び目１０ｃより先端側に、水草の差込片を受け入れる収納空間が形成される。
【００３４】
また、必ずしも、結び目１０ｃを設ける必要はなく、先端側の開口１０ｂに水草を挿し込み、その後、水草３の挿入片を第一紐１２で保持したのでも良い。但し、この場合には、充填材２が漏れ出ないよう、充填材２の粒径や形状を最適に選択する必要がある。
【符号の説明】
【００３５】
２      充填材
３      水草
１０    収納部
【図１】
0003161867.tif 000003
【図２】
0003161867.tif 000004
【図３】
0003161867.tif 000005
【図４】
0003161867.tif 000006
【図５】
0003161867.tif 000007